(57)【要約】【課題】  製造コストの高騰を来たすことなくコネクターを保護する。【解決手段】  携帯端末装置のコネクター部が接続される接続コネクターを有するコネクターユニットと、携帯端末装置が挿入される装置挿入口と、装置挿入口を閉塞する閉塞位置と装置挿入口を開放する開放位置との間で回動され装置挿入口の少なくとも一部を開放した状態において接続コネクターに接続された携帯端末装置を受けて保持するカバーと、操作部を有し操作部に対する操作によってカバーの回動位置を調整する調整機構とを設けた。  これによりアタッチメントを用意する必要がなく、携帯端末装置が接続装置から取り外された状態においてカバーによって装置挿入口が閉塞されて接続コネクターへの塵埃の付着が防止されるため、製造コストの高騰を来たすことなく接続コネクター２３を保護することができる。【選択図】        図４
2013131365.tif 000002
【特許請求の範囲】
【請求項１】
携帯端末装置のコネクター部が接続される接続コネクターを有するコネクターユニットと、
前記携帯端末装置が挿入される装置挿入口と、
前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、
操作部を有し前記操作部に対する操作によって前記カバーの回動位置を調整する調整機構とを備えた
接続装置。
【請求項２】
前記閉塞位置と前記開放位置の間の中間回動位置を基準として、前記カバーが前記中間回動位置より前記閉塞位置側に回動されたときに前記カバーを前記閉塞位置へ向けて付勢すると共に前記カバーが前記中間回動位置より前記開放位置側に回動されたときに前記カバーを前記開放位置へ向けて付勢する付勢バネを設けた
請求項１に記載の接続装置。
【請求項３】
前記調整機構に前記中間回動位置と前記開放位置の間で前記付勢バネによって前記カバーが押し付けられるスライダーが設けられ、
前記スライダーの移動によって前記中間回動位置と前記開放位置の間で前記カバーが回動されるようにした
請求項２に記載の接続装置。
【請求項４】
前記調整機構に前記スライダーを移動させる送りネジが設けられた
請求項３に記載の接続装置。
【請求項５】
前記調整機構の操作部として回転ダイヤルが用いられた
請求項１に記載の接続装置。
【請求項６】
前記装置挿入口が筐体に形成され、
前記カバーが前記閉塞位置から前記開放位置へ向けて回動されるに従って前記筐体の内部に挿入されるようにした
請求項１に記載の接続装置。
【請求項７】
前記カバーの前記携帯端末装置に接触する部分にクッションが貼り付けられた
請求項１に記載の接続装置。
【請求項８】
前記コネクターユニットを支持する支持部が設けられ、
前記コネクターユニットが前記カバーの回動方向と同じ方向へ前記支持部に対して回動可能とされた
請求項１に記載の接続装置。
【請求項９】
前記コネクターユニットが所定の基準位置を基準として回動可能とされ、
前記コネクターユニットを前記基準位置へ向けて付勢する戻しバネを設けた
請求項８に記載の接続装置。
【請求項１０】
携帯端末装置が装着される接続装置を備え、
前記接続装置が、
前記携帯端末装置のコネクター部が接続される接続コネクターを有するコネクターユニットと、
前記携帯端末装置が挿入される装置挿入口と、
前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、
操作部を有し前記操作部に対する操作によって前記カバーの回動位置を調整する調整機構とを備えた
電子機器。
【発明の詳細な説明】
【技術分野】
【０００１】
本発明は接続装置及び電子機器についての技術分野に関する。詳しくは、装置挿入口を開閉するカバーの回動位置を調整機構によって調整可能として製造コストの高騰を来たすことなくコネクターを保護する技術分野に関する。
【背景技術】
【０００２】
デジタルミュージックプレイヤー（ＤＭＰ）や携帯電話等の携帯端末装置が装着されるスピーカー、ステレオ機器、充電機器等の電子機器がある。
【０００３】
これらの電子機器には携帯端末装置のコネクター部が接続される接続コネクターを有する接続装置が設けられている（例えば、特許文献１参照）。接続装置の接続コネクターに携帯端末装置が接続されることにより、例えば、携帯端末装置に記録されている音声や画像等が電子機器から出力される。
【０００４】
上記のような電子機器にあっては、携帯端末装置におけるコネクター部の電子機器における接続コネクターに対する接続時に、携帯端末装置が挿入される接続装置の挿入部に環状のアタッチメントが取り付けられるものがある。アタッチメントの挿入孔は挿入される携帯端末装置の大きさ及び形状に応じた大きさ及び形状に形成され、携帯端末装置はアダプターの挿入孔に挿入されてコネクター部が接続コネクターに接続される。
【０００５】
このように携帯端末装置はアダプターの挿入孔に挿入されコネクター部が接続コネクターに接続されて接続装置に装着される。従って、携帯端末装置が接続装置に装着された状態において携帯端末装置の前面に設けられた操作面に対する操作等が行われたときに、携帯端末装置がアタッチメントによって保持されているため、押圧操作された方向における携帯端末装置の変位がアタッチメントによって規制されて接続コネクターに負荷が生じ難く、コネクター部及び接続コネクターの破損が防止される。
【０００６】
【特許文献１】特開２００４−１３５１１９号公報
【発明の開示】
【発明が解決しようとする課題】
【０００７】
ところが、上記したアタッチメントが取り付けられて携帯端末装置を保持する接続装置においては、装着される携帯端末装置の形状や大きさに応じたアタッチメントを用意する必要があり、装着される携帯端末装置の種類や大きさ毎に複数のアタッチメントが必要になり、製造コストの高騰を来たしてしまう。
【０００８】
また、携帯端末装置が接続装置から取り外された状態においては、接続コネクターが露出するため、接続コネクターに塵埃が付着するおそれもあり、接続コネクターの保護が不十分になってしまうと言う問題もある。
【０００９】
そこで、本発明接続装置及び電子機器は、上記した問題点を克服し、製造コストの高騰を来たすことなくコネクターを保護することを課題とする。
【課題を解決するための手段】
【００１０】
第１に、接続装置は、上記した課題を解決するために、携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えたものである。
【００１１】
従って、接続装置にあっては、カバーが装置挿入口を閉塞する閉塞位置と装置挿入口を開放する開放位置との間で回動可能とされると共に調整機構によってカバーの回動位置が調整される。
【００１２】
第２に、上記した接続装置においては、前記閉塞位置と前記開放位置の間の中間回動位置を基準として、前記カバーが前記中間回動位置より前記閉塞位置側に回動されたときに前記カバーを前記閉塞位置へ向けて付勢すると共に前記カバーが前記中間回動位置より前記開放位置側に回動されたときに前記カバーを前記開放位置へ向けて付勢する付勢バネを設けることが望ましい。
【００１３】
カバーが中間回動位置より閉塞位置側に回動されたときにカバーを閉塞位置へ向けて付勢すると共にカバーが中間回動位置より開放位置側に回動されたときにカバーを開放位置へ向けて付勢する付勢バネを設けることにより、閉塞位置と開放位置の間でカバーの回動が停止されない。
【００１４】
第３に、上記した接続装置においては、前記調整機構に前記中間回動位置と前記開放位置の間で前記付勢バネによって前記カバーが押し付けられるスライダーが設けられ、前記スライダーの移動によって前記中間回動位置と前記開放位置の間で前記カバーが回動されるようにすることが望ましい。
【００１５】
調整機構に中間回動位置と開放位置の間で付勢バネによってカバーが押し付けられるスライダーが設けられ、スライダーの移動によって中間回動位置と開放位置の間でカバーが回動されるようにすることにより、カバーの回動位置に関して二回目以降の調整を必要としない。
【００１６】
第４に、上記した接続装置においては、前記調整機構に前記スライダーを移動させる送りネジが設けられることが望ましい。
【００１７】
調整機構にスライダーを移動させる送りネジが設けられることにより、カバーの回動位置の調整が送りネジの回転方向及び回転量に応じて定められる。
【００１８】
第５に、上記した接続装置においては、前記調整機構の操作部として回転ダイヤルが用いられることが望ましい。
【００１９】
調整機構の操作部として回転ダイヤルが用いられることにより、カバーの回動位置の調整が回転ダイヤルの回転方向及び回転量に応じて定められる。
【００２０】
第６に、上記した接続装置においては、前記装置挿入口が筐体に形成され、前記カバーが前記閉塞位置から前記開放位置へ向けて回動されるに従って前記筐体の内部に挿入されるようにすることが望ましい。
【００２１】
装置挿入口が筐体に形成され、カバーが閉塞位置から開放位置へ向けて回動されるに従って筐体の内部に挿入されるようにすることにより、携帯端末装置の接続装置への装着時にカバーが携帯端末装置と干渉しない。
【００２２】
第７に、上記した接続装置においては、前記カバーの前記携帯端末装置に接触する部分にクッションが貼り付けられることが望ましい。
【００２３】
カバーの携帯端末装置に接触する部分にクッションが貼り付けられることにより、携帯端末装置にクッションが接触されて携帯端末装置がカバーに保持される。
【００２４】
第８に、上記した接続装置においては、前記コネクターユニットを支持する支持部が設けられ、前記コネクターユニットが前記カバーの回動方向と同じ方向へ前記支持部に対して回動可能とされることが望ましい。
【００２５】
コネクターユニットを支持する支持部が設けられ、コネクターユニットがカバーの回動方向と同じ方向へ支持部に対して回動可能とされることにより、カバーの回動動作に拘わらず携帯端末装置が移動されたときの携帯端末装置のコネクター部及び接続装置の接続コネクターに対する負荷が抑制される。
【００２６】
第９に、上記した接続装置においては、前記コネクターユニットが所定の基準位置を基準として回動可能とされ、前記コネクターユニットを前記基準位置へ向けて付勢する戻しバネを設けることが望ましい。
【００２７】
コネクターユニットが所定の基準位置を基準として回動可能とされ、コネクターユニットを基準位置へ向けて付勢する戻しバネを設けることにより、携帯端末装置に対する力が解除されたときに戻しバネの付勢力によってコネクターユニットが携帯端末装置とともに基準位置に戻る。
【００２８】
電子機器は、上記した課題を解決するために、携帯端末装置が装着される接続装置を備え、前記接続装置が、前記携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えたものである。
【００２９】
従って、電子機器にあっては、カバーが装置挿入口を閉塞する閉塞位置と装置挿入口を開放する開放位置との間で回動可能とされると共に調整機構によってカバーの回動位置が調整される。
【発明の効果】
【００３０】
本発明接続装置は、携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えている。
【００３１】
従って、装着される携帯端末装置の形状や大きさに応じてアタッチメントを用意する必要がなく、また、携帯端末装置が接続装置から取り外された状態においてカバーによって装置挿入口が閉塞されて接続コネクターへの塵埃の付着が防止されるため、製造コストの高騰を来たすことなく接続コネクターを保護することができる。
【００３２】
請求項２に記載した技術にあっては、前記閉塞位置と前記開放位置の間の中間回動位置を基準として、前記カバーが前記中間回動位置より前記閉塞位置側に回動されたときに前記カバーを前記閉塞位置へ向けて付勢すると共に前記カバーが前記中間回動位置より前記開放位置側に回動されたときに前記カバーを前記開放位置へ向けて付勢する付勢バネを設けている。
【００３３】
従って、カバーが閉塞位置又は開放位置へ向けて確実に回動され、閉塞位置と開放位置の間でカバーの回動が停止されることがなく、カバーの動作の信頼性の向上を図ることができる。
【００３４】
請求項３に記載した技術にあっては、前記調整機構に前記中間回動位置と前記開放位置の間で前記付勢バネによって前記カバーが押し付けられるスライダーが設けられ、前記スライダーの移動によって前記中間回動位置と前記開放位置の間で前記カバーが回動されるようにしている。
【００３５】
従って、カバーの回動位置に関して二回目以降の調整を必要とせず、使い勝手の向上を図ることができる。
【００３６】
請求項４に記載した技術にあっては、前記調整機構に前記スライダーを移動させる送りネジが設けられている。
【００３７】
従って、カバーの回動位置の調整が簡単であり、調整作業の容易化及び迅速化を図ることができる。
【００３８】
請求項５に記載した技術にあっては、前記調整機構の操作部として回転ダイヤルが用いられている。
【００３９】
従って、カバー３３の回動位置の調整が簡単であり、調整作業の一層の容易化及び迅速化を図ることができる。
【００４０】
請求項６に記載した技術にあっては、前記装置挿入口が筐体に形成され、前記カバーが前記閉塞位置から前記開放位置へ向けて回動されるに従って前記筐体の内部に挿入されるようにしている。
【００４１】
従って、携帯端末装置の接続装置への装着時にカバーが携帯端末装置と干渉することがなく、携帯端末装置の接続装置への装着を適正に行うことができる。
【００４２】
請求項７に記載した技術にあっては、前記カバーの前記携帯端末装置に接触する部分にクッションが貼り付けられている。
【００４３】
従って、カバー及び携帯端末装置の傷付きを防止することができる。
【００４４】
請求項８に記載した技術にあっては、前記コネクターユニットを支持する支持部が設けられ、前記コネクターユニットが前記カバーの回動方向と同じ方向へ前記支持部に対して回動可能とされている。
【００４５】
従って、カバーの回動動作に拘わらず携帯端末装置が移動されたときの携帯端末装置のコネクター部及び接続装置の接続コネクターに対する負荷が防止され、コネクター部及び接続コネクターの破損を防止することができる。
【００４６】
請求項９に記載した技術にあっては、前記コネクターユニットが所定の基準位置を基準として回動可能とされ、前記コネクターユニットを前記基準位置へ向けて付勢する戻しバネを設けている。
【００４７】
従って、使用者は常に同じ向きで携帯端末装置を接続装置に装着又は接続装置から取り外すことができ、使い勝手の向上を図ることができる。
【００４８】
本発明電子機器は、携帯端末装置が装着される接続装置を備え、前記接続装置が、前記携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えている。
【００４９】
従って、装着される携帯端末装置の形状や大きさに応じてアタッチメントを用意する必要がなく、また、携帯端末装置が接続装置から取り外された状態においてカバーによって装置挿入口が閉塞されて接続コネクターへの塵埃の付着が防止されるため、製造コストの高騰を来たすことなく接続コネクターを保護することができる。
【発明を実施するための最良の形態】
【００５０】
以下に、本発明接続装置及び電子機器を実施するための最良の形態を添付図面に従って説明する。
【００５１】
以下に示した最良の形態は、本発明電子機器及び接続装置をそれぞれ携帯端末装置としてデジタルミュージックプレイヤー（ＤＭＰ）が装着され装着されたＤＭＰの音声を出力するアクティブスピーカー及びこれに備えられた接続装置に適用したものである。
【００５２】
但し、本発明の適用範囲はＤＭＰの音声を出力する電子機器及びこれに備えられた接続装置に限られることはなく、コネクター部を有する携帯電話等の各種の携帯端末が接続される接続コネクターを有する各種の接続装置及びこれを備えた各種の電子機器に広く適用することができる。
【００５３】
以下の説明においては、アクティブスピーカー（電子機器）の音声出力部（スピーカー部）が向く方向を前方として上下前後左右の方向を示す。
【００５４】
尚、以下に示す上下前後左右の方向は、説明の便宜上示すものであり、本発明はこれらの方向に限定して適用されることはない。
【００５５】
［電子機器の構造］
電子機器（アクティブスピーカー）１は筐体２と外パネル３を備えている（図１乃至図３参照）。
【００５６】
筐体２はアッパー面部４、フロント面部５、リア面部６、サイド面部７、７及び図示しないボトム面部によって横長の形状に形成され、例えば、アッパー面部４及びボトム面部が舟型形状に形成され、左右方向における中央の前後の幅が最大にされている。
【００５７】
フロント面部５にはグリルネット５ａが形成されている。リア面部６には操作部配置孔６ａが形成され、操作部配置孔６ａの下側に前方へ突出された取付突部６ｂが設けられている（図４参照）。
【００５８】
筐体２の内部には左右に離隔して第１の音声出力部（スピーカー部）８、８が配置されている（図１乃至図３参照）。筐体２の内部には音声の通り道となる図示しない音道が形成され、第１の音声出力部８、８間に音道に繋がるバスレフと称される第２の音声出力部９が配置されている。第２の音声出力部９は低音を増強する機能を有している。
【００５９】
筐体２の内部には図示しない回路基板が配置され、回路基板にはアンプとして機能する増幅回路が形成されている。
【００６０】
筐体２のアッパー面部４には連通孔４ａが形成されている。
【００６１】
筐体２におけるアッパー面部４の上面には図示しない電子基板が配置されている。電子基板には上下に貫通された挿入孔が形成され、挿入孔はアッパー面部４の連通孔４ａと同じ大きさ及び同じ形状に形成されている。電子基板の上面には複数の操作釦１０、１０、・・・や発光部が配置されている。
【００６２】
電子基板の上側には内パネル１１が配置される。内パネル１１は上下方向を向く板状のパネル部１２とパネル部１２の下側に位置する配置部１３とから成る（図３乃至図５参照）。
【００６３】
パネル部１２は筐体２のアッパー面部４と略同じ大きさ及び同じ形状に形成され、配置部１３に連通された略矩形状の開口１２ａと開口１２ａの左右に形成された操作部挿通孔１２ｂ、１２ｂ、・・・とを有している。
【００６４】
配置部１３は前面部１４と前面部１４の左右両側縁に連続する側面部１５、１５と前面部１４の下縁から後方へ突出された底面部１６と底面部１６の後縁から上方へ突出された後面部１７とを有している（図６参照）。
【００６５】
側面部１５、１５には内面側にそれぞれ支持面部１５ａ、１５ａが設けられている。側面部１５、１５の内面の後端部における上端部にはそれぞれバネ支持突部１５ｂ、１５ｂが設けられている。
【００６６】
底面部１６には上方へ突出された軸状の支持部１６ａ、１６ａが左右に離隔して設けられている。支持部１６ａ、１６ａは垂直方向に対して、例えば、後方に１５°傾斜した状態とされている。
【００６７】
後面部１７には後方へ突出されたガイド突部１７ａ、１７ａが左右に離隔して設けられている。
【００６８】
配置部１３には、側面部１５、１５と底面部１６の間にそれぞれ第１の空間１８、１８が形成され、後面部１７の上縁とパネル部１２の間に第２の空間１９が形成されている。
【００６９】
配置部１３の底面部１６に設けられた支持部１６ａ、１６ａにはコネクターユニット２０が回動自在に支持されている（図３乃至図５参照）。コネクターユニット２０はコネクターケース２１とコネクターケース２１から左右に突出された被支持突部２２、２２とコネクターケース２１の内部に配置された図示しない基板と基板上に設けられた接続コネクター２３とから成る。接続コネクター２３は下端部を除いてコネクターケース２１から上方へ突出されている。被支持突部２２、２２には前後に延びる被支持孔２２ａ、２２ａが形成されている。
【００７０】
コネクターユニット２０は支持部１６ａ、１６ａにそれぞれ圧縮コイルバネである戻しバネ２４、２４が支持された状態において、被支持突部２２、２２の被支持孔２２ａ、２２ａにそれぞれ支持部１６ａ、１６ａが挿入され、支持部１６ａ、１６ａにネジ部材２５、２５が螺合されることにより支持部１６ａ、１６ａに支持される。
【００７１】
コネクターユニット２０は被支持孔２２ａ、２２ａが前後に延びる形状に形成されているため、支持部１６ａ、１６ａに対して略前後方向へ回動可能とされている。コネクターユニット２０は戻しバネ２４、２４によって上方へ付勢されている。
【００７２】
内パネル１１が電子基板の上側に配置された状態においては、配置部１３がアッパー面部４の連通孔４ａに上側から挿入され、電子基板に配置された操作釦１０、１０、・・・がそれぞれ内パネル１１の操作部挿通孔１２ｂ、１２ｂ、・・・に挿通される。
【００７３】
外パネル３は上下方向を向く板状の化粧板部２６と化粧板部２６の下側に位置する挿入部２７とから成る。
【００７４】
化粧板部２６は内パネル１１と略同じ大きさ及び同じ形状に形成され、挿入部２７に連通された略矩形状の装置挿入口２６ａと装置挿入口２６ａの左右に形成された操作部配置孔２６ｂ、２６ｂ、・・・とを有している。化粧板部２６には装置挿入口２６ａの前側開口縁に連続して凹状の操作用凹部２６ｃが形成されている。
【００７５】
挿入部２７は前壁部２８と前壁部２８の下縁から後方へ突出された底壁部２９と底壁部２９の後縁から上方へ突出された後壁部３０とを有している。
【００７６】
底壁部２９には上下に貫通された横長のコネクター挿通孔２９ａが形成されている。
【００７７】
後壁部３０の上端部には下方に開口するように折り曲げられた連結部３０ａが設けられている。
【００７８】
挿入部２７には、底壁部２９の左右両側縁と化粧板部２６の間にそれぞれ第１の間隙３１、３１が形成され、後壁部３０の上縁と化粧板部２６の間に第２の間隙３２が形成されている。
【００７９】
外パネル３は内パネル１１の上側に配置されて筐体２に取り付けられる。外パネル３が内パネル１１の上側に配置された状態においては、挿入部２７が配置部１３に上側から挿入され、電子基板に配置され内パネル１１の操作部挿通孔１２ｂ、１２ｂ、・・・を挿通された操作釦１０、１０、・・・がそれぞれ操作部配置孔２６ｂ、２６ｂ、・・・に挿入されて配置される。
【００８０】
外パネル３の挿入部２７の後壁部３０に設けられた連結部３０ａには内パネル１１の配置部１３に設けられた後面部１７が下方から挿入されて連結される。このときコネクターユニット２０の接続コネクター２３が底壁部２９のコネクター挿通孔２９ａに下方から挿通される。
【００８１】
内パネル１１の側面部１５、１５に設けられた支持面部１５ａ、１５ａにはカバー３３が回動自在に支持される（図３乃至図５参照）。カバー３３は横長の板状に形成された閉塞面部３４と閉塞面部３４の左右両端部から略下方へ突出されたアーム部３５、３５とを有している。
【００８２】
アーム部３５、３５の外面にはそれぞれバネ掛け突部３５ａ、３５ａが設けられている。
【００８３】
カバー３３の閉塞面部３４における前端部にはゴム等によって形成されたクッション３７が貼り付けられている。
【００８４】
カバー３３はアーム部３５、３５の下端部が支持面部１５ａ、１５ａに支持され、外パネル３の装置挿入口２６ａを閉塞する閉塞位置（図４及び図８参照）と装置挿入口２６ａを開放する開放位置（図９及び図１０参照）との間で外パネル３及び内パネル１１に対して回動可能とされる。
【００８５】
カバー３３が回動されるときには、閉塞面部３４が第２の空間１９及び第２の間隙３２を通過され、アーム部３５、３５がそれぞれ第１の空間１８及び第１の間隙３１、３１を通過される。
【００８６】
内パネル１１のバネ支持突部１５ｂ、１５ｂとカバー３３のバネ掛け突部３５ａ、３５ａとの間にはそれぞれトグルバネである付勢バネ３６、３６が支持される。従って、カバー３３は閉塞位置と開放位置の間の所定の中間回動位置（図１１参照）を基準として、中間回動位置より閉塞位置側に回動されたときに付勢バネ３６、３６によって閉塞位置へ向けて付勢され、中間回動位置より開放位置側に回動されたときに付勢バネ３６、３６によって開放位置へ向けて付勢される。
【００８７】
カバー３３は調整機構３８によって中間回動位置から開放位置までの間の回動位置が調整可能とされている。調整機構３８は操作体３９と操作体３９の操作によって上下方向へ移動されるスライダー４０とを有している（図４及び図５参照）。
【００８８】
操作体３９は筐体２のリア面部６に設けられた取付突部６ｂにネジ止め等によって回転可能な状態で取り付けられる。操作体３９は回転ダイヤル３９ａと回転ダイヤル３９ａの中心部から上方へ突出された送りネジ３９ｂとを有している。回転ダイヤル３９ａは一部が筐体２のリア面部６に形成された操作部配置孔６ａに配置され、後端部がリア面部６から後方へ突出されている。従って、使用者は筐体２の外面側から後方へ突出された回転ダイヤル３９ａの一部を回転操作することが可能とされている。
【００８９】
スライダー４０は横長のブロック状に形成され、上下に貫通された螺孔４０ａを有している。スライダー４０は螺孔４０ａに送りネジ３９ｂが螺合され、内パネル１１の後面部１７の後面側においてガイド突部１７ａ、１７ａ間に位置されている。従って、回転ダイヤル３９ａが回転操作されて送りネジ３９ｂが回転されると、回転ダイヤル３９ａの回転方向に応じてスライダー４０がガイド突部１７ａ、１７ａに案内されて上下方向へ移動される。
【００９０】
カバー３３は中間回動位置から開放位置までの間において、付勢バネ３６、３６の付勢力によって閉塞面部３４の後縁がスライダー４０に押し付けられ、スライダー４０の上下方向への移動により回動位置が調整される。
【００９１】
電子機器１は上記のように構成され、接続コネクター２３を有するコネクターユニット２０と装置挿入口２６ａを開閉するカバー３３とカバー３３の回動位置を調整する調整機構３８とを備えた接続装置４１が構成される。
【００９２】
［電子機器における動作］
以下に、電子機器１における動作について説明する。
【００９３】
カバー３３が閉塞位置にある状態においては、付勢バネ３６、３６によってカバー３３が閉塞位置へ向けて付勢されており、閉塞面部３４の前端部に貼り付けられたクッション３７がカバー３３の装置挿入口２６ａの前側開口縁に接した状態とされている（図４及び図８参照）。
【００９４】
従って、コネクターユニット２０がカバー３３によって閉塞されて接続コネクター２３が保護され、接続コネクター２３への塵埃の付着が防止されている。
【００９５】
カバー３３が閉塞位置にある状態においては、接続コネクター２３が内パネル１１の底面部１６に設けられた支持部１６ａ、１６ａの向きに応じて垂直方向に対して後方に１５°傾斜されている。
【００９６】
カバー３３が閉塞位置にある状態において、使用者が外パネル３の化粧板部２６に形成された操作用凹部２６ｃに指を挿入して閉塞面部３４の前端部に指を宛い、閉塞面部３４を後方へ押圧することによりカバー３３が開放位置へ向けて回動される。このときスライダー４０が下方の移動端に位置されていると、カバー３３は最も大きな角度で回動され開放位置に至る。
【００９７】
カバー３３は閉塞面部３４の後端部がスライダー４０の上面に接することにより開放位置に保持され、カバー３３は付勢バネ３６、３６の付勢力によって閉塞面部３４がスライダー４０に押し付けられる（図９及び図１０参照）。カバー３３が開放位置まで回動されることにより、装置挿入口２６ａが最も大きく開放される。
【００９８】
カバー３３が閉塞位置から開放位置へ向けて回動されるときには、カバー３３は装置挿入口２６ａの下方へ移動されていき、筐体２の内部に挿入されていく。カバー３３が開放位置まで移動された状態においては、閉塞面部３４の前端部が装置挿入口２６ａの後縁の直ぐ前側に位置され、カバー３３は閉塞面部３４の前端部のみが外パネル３の化粧板部２６から僅かに上方へ突出される。
【００９９】
次に、携帯端末装置１００がコネクターユニット２０の接続コネクター２３に接続される。携帯端末装置１００は、例えば、前後方向の厚みの薄い縦長の形状に形成され、下端部に雌型のコネクター部１００ａが設けられている。携帯端末装置１００の前面の一部は操作面１０１として形成されている。
【０１００】
携帯端末装置１００は外パネル３の装置挿入口２６ａから挿入部２７に挿入されコネクター部１００ａが接続コネクター２３に接続されることにより接続装置４１に装着される（図１２参照）。このとき携帯端末装置１００は接続コネクター２３の傾斜角度に伴って、例えば、後方に１５°の角度で傾斜される。
【０１０１】
携帯端末装置１００の接続装置４１への装着時には、カバー３３の略全体が筐体２の内部に挿入されているため、携帯端末装置１００の接続装置４１への装着時にカバー３３が携帯端末装置１００と干渉することがなく、携帯端末装置１００の接続装置４１への装着を適正に行うことができる。
【０１０２】
カバー３３が開放位置にあり携帯端末装置１００が接続装置４１に装着された状態においては、カバー３３の閉塞面部３４の前端が携帯端末装置１００の背面より後方に離隔して位置される。
【０１０３】
続いて、操作体３９の回転ダイヤル３９ａが操作されてスライダー４０が上方へ移動されると、スライダー４０によって閉塞面部３４が押し上げられてカバー３９が付勢バネ３６、３６の付勢力に反して閉塞位置へ向けて回動される（図１３参照）。従って、携帯端末装置１００が閉塞面部３４によって前方へ押圧されコネクターユニット２０と一体になって支持部１６ａ、１６ａに対して回動される。
【０１０４】
このとき携帯端末装置１００の後面にはカバー３３の閉塞面部３４の前端部に貼り付けられたクッション３７が接するため、カバー３３及び携帯端末装置１００の傷付きを防止することができる。
【０１０５】
使用者は回転ダイヤル３９ａを適宜に回転させることにより、携帯端末装置１００を所望の角度に保持することができる。
【０１０６】
このときカバー３３は中間回動位置から開放位置の間にあり付勢バネ３６、３６によって開放位置へ向けて付勢され、閉塞面部３４の後端部がスライダー４０の上面に押し付けられている。従って、振動等が生じてもカバー３３が振動により閉塞位置へ向けて回動されることがなく、カバー３３が安定した状態で保持される。
【０１０７】
使用者が携帯端末装置１００に対して前方から操作面１０１を操作すると、携帯端末装置１００に後方への負荷が付与されるが、携帯端末装置１００はカバー３３によって押さえられて保持されているため、操作面１０１に対する操作によって携帯端末装置１００が後方へ移動されることがなく、良好な操作性を確保することができる。
【０１０８】
また、携帯端末装置１００がカバー３３によって保持されているため、操作面１０１に対する操作時に携帯端末装置１００のコネクター部１００ａ及び接続装置４１の接続コネクター２３に対する負荷が防止される。
【０１０９】
尚、上記したように、コネクターユニット２０は支持部１６ａ、１６ａに対して略前後方向へ回動可能とされており、カバー３３の回動動作に拘わらずコネクターユニット２０が携帯端末装置１００の移動に伴って回動される。
【０１１０】
従って、カバー３３の回動動作に拘わらず携帯端末装置１００が略前後方向へ移動されたときの携帯端末装置１００のコネクター部１００ａ及び接続装置４１の接続コネクター２３に対する負荷が防止され、コネクター部１００ａ及び接続コネクター２３の破損を防止することができる。
【０１１１】
また、カバー３３の回動動作に拘わらず携帯端末装置１００が略前方へ移動されたときに、コネクターユニット２０は携帯端末装置１００の前面が装置挿入口２６ａの前側開口縁に接触する位置（図１４参照）まで回動可能であり、携帯端末装置１００が前方へ大きく移動されたときにもコネクター部１００ａ及び接続コネクター２３の破損を防止することができる。
【０１１２】
一方、カバー３３の回動動作に拘わらず携帯端末装置１００が略後方へ移動されたときに、コネクターユニット２０は携帯端末装置１００の後面がカバー３３における閉塞面部３４の前端部に接触する位置まで回動可能であり、携帯端末装置１００が略後方へ移動されたときにもコネクター部２００ａ及び接続コネクター２３の破損を防止することができる。
【０１１３】
尚、カバー３３の回動動作に拘わらず携帯端末装置１００が略前後方向へ移動されると、コネクターユニット２０が携帯端末装置１００の移動に伴って支持部１６ａ、１６ａを支点として回動されるが、携帯端末装置１００に対する略前後方向への力が解除されると、戻しバネ２４、２４の付勢力によってコネクターユニット２０が携帯端末装置１００とともに元の位置（基準位置）に戻る。
【０１１４】
従って、使用者は常に同じ向きで携帯端末装置１００を接続装置４１に装着又は接続装置４１から取り外すことができ、電子機器１の使い勝手の向上を図ることができる。
【０１１５】
携帯端末装置１００の接続装置４１からの取外しは、携帯端末装置１００を把持して略上方へ移動させてコネクター部１００ａの接続コネクター２３に対する接続を解除することにより行うことができる。
【０１１６】
携帯端末装置１００を接続装置４１から取り外した状態において、カバー３３を閉塞位置に回動させることにより、コネクターユニット２０がカバー３３によって閉塞されて接続コネクター２３が保護され、接続コネクター２３への塵埃の付着が防止される。
【０１１７】
カバー３３が閉塞位置にある状態においては、付勢バネ３６、３６によってカバー３３が閉塞位置へ向けて付勢され、閉塞面部３４の前端部に貼り付けられたクッション３７がカバー３の装置挿入口２６ａの前側開口縁に接した状態とされる。
【０１１８】
このようにカバー３３が閉塞位置にある状態においては、付勢バネ３６、３６によってカバー３３が閉塞位置へ向けて付勢されているため、振動等が生じてもカバー３３が振動により開放位置へ向けて回動されることがなく、カバー３３が閉塞位置に安定した状態で保持される。
【０１１９】
電子機器１においては、携帯端末装置１００とは厚みの異なる携帯端末装置を接続装置４１に接続することが可能である。即ち、携帯端末装置１００より厚みの厚い携帯端末装置を接続装置４１に接続することが可能であり、また、携帯端末装置１００より厚みの薄い携帯端末装置２００を接続装置４１に接続することも可能である（図１５乃至図１７参照）。
【０１２０】
携帯端末装置２００の下端部には雌型のコネクター部２００ａが設けられている。携帯端末装置２００の前面の一部は操作面２０１として形成されている。
【０１２１】
携帯端末装置２００は外パネル３の装置挿入口２６ａから挿入部２７に挿入されコネクター部２００ａが接続コネクター２３に接続されることにより接続装置４１に装着される（図１５参照）。このとき携帯端末装置２００は接続コネクター２３の傾斜角度に伴って、例えば、後方に１５°の角度で傾斜される。
【０１２２】
カバー３３が開放位置にあり携帯端末装置２００が接続装置４１に装着された状態においては、カバー３３の閉塞面部３４の前端が携帯端末装置２００の背面より後方に離隔して位置される。
【０１２３】
続いて、操作体３９の回転ダイヤル３９ａが操作されてスライダー４０が上方へ移動されると、スライダー４０によって閉塞面部３４が押し上げられてカバー３９が付勢バネ３６、３６の付勢力に反して閉塞位置へ向けて回動される（図１６参照）。従って、携帯端末装置２００が閉塞面部３４によって前方へ押圧されコネクターユニット２０と一体になって支持部１６ａ、１６ａに対して回動される。
【０１２４】
このとき携帯端末装置２００の後面にはカバー３３の閉塞面部３４の前端部に貼り付けられたクッション３７が接するため、カバー３３及び携帯端末装置２００の傷付きを防止することができる。
【０１２５】
使用者は回転ダイヤル３９ａを適宜に回転させることにより、携帯端末装置２００を所望の角度に保持することができる。
【０１２６】
使用者が携帯端末装置２００に対して前方から操作面２０１を操作すると、携帯端末装置２００に後方への負荷が付与されるが、携帯端末装置２００はカバー３３によって押さえられて保持されているため、操作面２０１に対する操作によって携帯端末装置２００が後方へ移動されることがなく、良好な操作性を確保することができる。
【０１２７】
また、携帯端末装置２００がカバー３３によって保持されているため、操作面２０１に対する操作時に携帯端末装置２００のコネクター部２００ａ及び接続装置４１の接続コネクター２３に対する負荷が防止される。
【０１２８】
カバー３３の回動動作に拘わらず携帯端末装置２００が略前方へ移動されたときに、コネクターユニット２０は携帯端末装置２００の前面が装置挿入口２６ａの前側開口縁に接触する位置（図１７参照）まで回動可能であり、携帯端末装置２００が略前方へ大きく移動されたときにもコネクター部２００ａ及び接続コネクター２３の破損を防止することができる。
【０１２９】
また、カバー３３の回動動作に拘わらず携帯端末装置２００が略後方へ移動されたときに、コネクターユニット２０は携帯端末装置２００の後面がカバー３３の前端部に接触する位置まで回動可能であり、携帯端末装置２００が略後方へ移動されたときにもコネクター部２００ａ及び接続コネクター２３の破損を防止することができる。
【０１３０】
一方、カバー３３の回動動作に拘わらず携帯端末装置２００が略後方へ移動されたときに、コネクターユニット２０は携帯端末装置２００の後面がカバー３３における閉塞面部３４の前端部に接触する位置まで回動可能であり、携帯端末装置２００が略後方へ移動されたときにもコネクター部２００ａ及び接続コネクター２３の破損を防止することができる。
【０１３１】
尚、携帯端末装置１００より厚みが厚い携帯端末装置を接続装置４１に装着するときには、コネクターユニット２０を稍前方に回動させるようにしてコネクター部１００ａを接続コネクター２３に接続するようにしてもよい。このようにして携帯端末装置を接続装置４１に装着することにより、携帯端末装置の背面とカバー３３の閉塞面部３４との接触を防止して両者の傷付きを回避することができる。
【０１３２】
携帯端末装置２００の接続装置４１からの取外しは、携帯端末装置２００を把持して略上方へ移動させてコネクター部１００ａの接続コネクター２３に対する接続を解除することにより行うことができる。
【０１３３】
携帯端末装置２００を接続装置４１から取り外した状態において、カバー３３を閉塞位置に回動させることにより、コネクターユニット２０がカバー３３によって閉塞されて接続コネクター２３が保護され、接続コネクター２３への塵埃の付着が防止される。
【０１３４】
カバー３３が閉塞位置にある状態においては、付勢バネ３６、３６によってカバー３３が閉塞位置へ向けて付勢され、閉塞面部３４の前端部に貼付されたクッション３７がカバー３の装置挿入口２６ａの前側開口縁に接した状態とされる。
【０１３５】
［まとめ］
以上に記載した通り、電子機器１にあっては、外パネル３の装置挿入口２６ａを開閉するカバー３３を設けると共にカバー３３の回動位置を調整機構３８によって調整可能としている。
【０１３６】
従って、装着される携帯端末装置１００、２００等の形状や大きさに応じてアタッチメントを用意する必要がなく、また、携帯端末装置１００、２００等が接続装置４１から取り外された状態においてカバー３３によって装置挿入口２６ａが閉塞されて接続コネクター２３への塵埃の付着が防止されるため、製造コストの高騰を来たすことなく接続コネクター２３を保護することができる。
【０１３７】
また、カバー３３は中間回動位置を基準として、中間回動位置より閉塞位置側に回動されたときに付勢バネ３６、３６によって閉塞位置へ向けて付勢され、中間回動位置より開放位置側に回動されたときに付勢バネ３６、３６によって開放位置へ向けて付勢される。
【０１３８】
従って、カバー３３が閉塞位置又は開放位置へ向けて確実に回動され、閉塞位置と開放位置の間でカバー３３の回動が停止されることがなく、カバー３３の動作の信頼性の向上を図ることができる。
【０１３９】
さらに、カバー３３は中間回動位置と開放位置の間で付勢バネ３６、３６によってスライダー４０に押し付けられるため、調整機構３８によってカバー３３の回動位置を調整することにより、一旦カバー３３が閉塞位置側へ回動された後に開放位置側へ回動されたときに常に直前の回動位置に保持される。
【０１４０】
従って、カバー３３の回動位置に関して二回目以降の調整を必要とせず、電子機器１の使い勝手の向上を図ることができる。
【０１４１】
さらにまた、調整機構３８にスライダー４０を移動させる送りネジ３９ｂが設けられ、送りネジ３９ｂによってスライダー４０を移動させてカバー３３の回動位置を調整しているため、調整が簡単であり、調整作業の容易化及び迅速化を図ることができる。
【０１４２】
また、送りネジ３９ｂによってスライダー４０を移動させるため、送りネジ３９ｂの回転位置に応じた位置にスライダー４０が移動されて保持されるため、スライダー４０が不必要に移動されることがなく、カバー３３を調整した回動位置に確実に保持することができる。
【０１４３】
さらに、調整機構３８の操作部として回転ダイヤル３９ａが用いられているため、カバー３３の回動位置の調整が簡単であり、調整作業の一層の容易化及び迅速化を図ることができる。
【０１４４】
［その他］
上記には、携帯端末装置１００、２００等が接続装置４１に装着される前の状態において、接続コネクター２３が垂直方向に対して後方に１５°傾斜されている例を示した。しかしながら、携帯端末装置１００、２００等が接続装置４１に装着される前の接続コネクター２３の角度は１５°に限られることはなく、任意の角度に設定することが可能である。
【０１４５】
［本技術］
本技術は、以下のような構成とすることができる。
【０１４６】
（１）携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えた接続装置。
【０１４７】
（２）前記閉塞位置と前記開放位置の間の中間回動位置を基準として、前記カバーが前記中間回動位置より前記閉塞位置側に回動されたときに前記カバーを前記閉塞位置へ向けて付勢すると共に前記カバーが前記中間回動位置より前記開放位置側に回動されたときに前記カバーを前記開放位置へ向けて付勢する付勢バネを設けた前記（１）に記載の接続装置。
【０１４８】
（３）前記調整機構に前記中間回動位置と前記開放位置の間で前記付勢バネによって前記カバーが押し付けられるスライダーが設けられ、前記スライダーの移動によって前記中間回動位置と前記開放位置の間で前記カバーが回動されるようにした前記（２）に記載の接続装置。
【０１４９】
（４）前記調整機構に前記スライダーを移動させる送りネジが設けられた前記（３）に記載の接続装置。
【０１５０】
（５）前記調整機構の操作部として回転ダイヤルが用いられた前記（１）から前記（４）の何れかに記載の接続装置。
【０１５１】
（６）前記装置挿入口が筐体に形成され、前記カバーが前記閉塞位置から前記開放位置へ向けて回動されるに従って前記筐体の内部に挿入されるようにした前記（１）から前記（５）の何れかに記載の接続装置。
【０１５２】
（７）前記カバーの前記携帯端末装置に接触する部分にクッションが貼り付けられた前記（１）から前記（６）の何れかに記載の接続装置。
【０１５３】
（８）前記コネクターユニットを支持する支持部が設けられ、前記コネクターユニットが前記カバーの回動方向と同じ方向へ前記支持部に対して回動可能とされた前記（１）から前記（７）の何れかに記載の接続装置。
【０１５４】
（９）前記コネクターユニットが所定の基準位置を基準として回動可能とされ、前記コネクターユニットを前記基準位置へ向けて付勢する戻しバネを設けた前記（８）に記載の接続装置。
【０１５５】
（１０）携帯端末装置が装着される接続装置を備え、前記接続装置が、前記携帯端末装置のコネクター部が接続される接続コネクターを有するコネクターユニットと、前記携帯端末装置が挿入される装置挿入口と、前記装置挿入口を閉塞する閉塞位置と前記装置挿入口を開放する開放位置との間で回動され前記装置挿入口の少なくとも一部を開放した状態において前記接続コネクターに接続された前記携帯端末装置を受けて保持するカバーと、操作部を有し前記操作部に対する操作によって前記カバーの回動位置を調整する調整機構とを備えた電子機器。
【０１５６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５７】
【図１】図２乃至図１７と共に本発明の実施の形態を示すものであり、本図は、電子機器の斜視図である。
【図２】電子機器を携帯端末装置とともに示す斜視図である。
【図３】電子機器の分解斜視図である。
【図４】電子機器の一部を示す拡大断面図である。
【図５】電子機器の一部を示す分解斜視図である。
【図６】内パネルの一部を示す拡大斜視図である。
【図７】外パネルの一部を示す拡大斜視図である。
【図８】カバーが閉塞位置にある状態を示す拡大斜視図である。
【図９】カバーが開放位置にある状態を示す拡大斜視図である。
【図１０】カバーが開放位置にある状態を示す拡大断面図である。
【図１１】カバーが中間回動位置にある状態を示す拡大断面図である。
【図１２】携帯端末装置が接続装置に装着された状態を示す拡大断面図である。
【図１３】調整機構によってカバーの回動位置が調整された状態を示す拡大断面図である。
【図１４】カバーの回動動作に拘わらず携帯端末装置が移動された状態を示す拡大断面図である。
【図１５】厚みの薄い携帯端末装置が接続装置に装着された状態を示す拡大断面図である。
【図１６】厚みの薄い携帯端末装置が接続装置に装着されたときに、調整機構によってカバーの回動位置が調整された状態を示す拡大断面図である。
【図１７】厚みの薄い携帯端末装置が接続装置に装着されたときに、カバーの回動動作に拘わらず携帯端末装置が移動された状態を示す拡大断面図である。
【符号の説明】
【０１５８】
１…電子機器、２…筐体、１６ａ…支持部、２０…コネクターユニット、２３…接続コネクター、２６ａ…装置挿入口、３３…カバー、３６…付勢バネ、３７…クッション、３８…調整機構、３９ａ…回転ダイヤル、３９ｂ…送りネジ、４０…スライダー、４１…接続装置、１００…携帯端末装置、１００ａ…コネクター部、２００…携帯端末装置、２００ａ…コネクター部
【図１】
2013131365.tif 000003
【図２】
2013131365.tif 000004
【図３】
2013131365.tif 000005
【図４】
2013131365.tif 000006
【図５】
2013131365.tif 000007
【図６】
2013131365.tif 000008
【図７】
2013131365.tif 000009
【図８】
2013131365.tif 000010
【図９】
2013131365.tif 000011
【図１０】
2013131365.tif 000012
【図１１】
2013131365.tif 000013
【図１２】
2013131365.tif 000014
【図１３】
2013131365.tif 000015
【図１４】
2013131365.tif 000016
【図１５】
2013131365.tif 000017
【図１６】
2013131365.tif 000018
【図１７】
2013131365.tif 000019